(57)【要約】【課題】透明遊技盤の遊技領域の装着孔を視認し難くでき、しかも透明遊技盤の光透過領域を十分に確保できるようにする。【解決手段】遊技領域９に装着孔２２が形成された透明遊技盤８と、装着孔２２に挿入して透明遊技盤８に装着された画像表示手段１６とを備えている。画像表示手段１６は装着孔２２に挿入して透明遊技盤８の前面に装着された前飾り体２４と、表示窓４０に対応して透明遊技盤８の裏側に配置された画像表示部２３と、前飾り体２４から外周側に突出し且つ装着孔２２の外周で透明遊技盤８の前面に当接して装着孔２２を前側から覆う鍔部３６とを有する。鍔部３６は光透過性を有し且つ装着孔２２の内周縁を前側から視認し難くする視認制限部４３を備えている。【選択図】図３
2014155522.tif 000002
【特許請求の範囲】
【請求項１】
遊技領域に装着孔が形成された透明遊技盤と、前記装着孔に挿入して前記透明遊技盤に装着された役物とを備えた遊技機において、
前記役物は前記装着孔に挿入される挿入部と、該挿入部から外周側に突出し且つ前記装着孔の外周で前記透明遊技盤の前面に当接して前記装着孔を前側から覆う鍔部とを有し、
前記鍔部は光透過性を有し且つ前記装着孔の内周縁を前側から視認し難くする視認制限部を備えた
ことを特徴とする遊技機。
【請求項２】
前記透明遊技盤の裏側に少なくとも前記視認制限部に対応して発光手段を備えた
ことを特徴とする請求項１に記載の遊技機。
【請求項３】
前記役物は表示窓を有し且つ前記透明遊技盤の前面に装着された前飾り体と、前記表示窓に対応して前記透明遊技盤の裏側に配置された画像表示部とを備えた画像表示手段である
ことを特徴とする請求項１又は２に記載の遊技機。
【請求項４】
前記画像表示部は表示領域が前記装着孔の外周側に延びる大きさである
ことを特徴とする請求項３に記載の遊技機。
【請求項５】
前記視認制限部は前記鍔部に凹凸状又は粗面状に形成されている
ことを特徴とする請求項１〜４の何れかに記載の遊技機。
【請求項６】
前記透明遊技盤の前側に前記遊技領域を視認可能に透明板を備え、
前記遊技領域へと発射された遊技球が集中する前記前飾り体の頂部外周に、前記鍔部との間に遊技球が通過可能な間隔をおいて配置され且つ前記透明板との接触を阻止する透明な接触阻止壁を備えた
ことを特徴とする請求項３又は４に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機には、アクリル板等の透明板により透明遊技盤を構成し、その透明遊技盤の装着孔に対応して画像表示手段を装着し、また透明遊技盤の裏側に発光手段を配置したものがある（例えば特許文献１）。
【０００３】
この画像表示手段は、装着孔に対応して透明遊技盤の前後両側に配置された前飾り体と液晶式等の画像表示部とを備え、透明遊技盤の遊技領域の略中央部に配置されている。前飾り体は光透過性を有し、透明遊技盤の前面に当接する鍔部を有し、その鍔部を透明遊技盤にネジ止めすることにより透明遊技盤に固定されている。
【０００４】
前飾り体の外周の鍔部の裏側、その他の部位に対応して透明遊技盤の裏側に発光手段を配置し、所定の遊技状態となったときに発光手段が発光して、その発光演出状態を透明遊技盤を通して前側から視認できるようになっている。
【先行技術文献】
【特許文献】
【０００５】
【特許文献１】特開２０１２−１１００９号公報
【発明の概要】
【発明が解決しようとする課題】
【０００６】
従来の遊技機では、前飾り体の外周の鍔部を介して透明遊技盤の装着孔が前側から見えるため、透明遊技盤の見栄えが低下するという問題がある。
【０００７】
しかし、鍔部を光透過性のない材料により構成するか、又は鍔部に遮光シールを貼り付ける等の対策を講じると、鍔部を通してその裏側が見えるような問題は解消し得るものの、透明遊技盤を通して裏側の発光手段等を視認できる範囲が狭くなり、透明遊技盤を採用することの利点が半減するという新たな問題が生じることとなる。
【０００８】
本発明は、このような従来の課題に鑑みて、透明遊技盤の遊技領域の装着孔を視認し難くでき、しかも透明遊技盤の光透過領域を十分に確保できる遊技機を提供することを目的とする。
【課題を解決するための手段】
【０００９】
本発明は、遊技領域９に装着孔２２が形成された透明遊技盤８と、前記装着孔２２に挿入して前記透明遊技盤８に装着された役物１６とを備えた遊技機において、前記役物１６は前記装着孔２２に挿入される挿入部３７，３９と、該挿入部３７，３９から外周側に突出し且つ前記装着孔２２の外周で前記透明遊技盤８の前面に当接して前記装着孔２２を前側から覆う鍔部３６とを有し、前記鍔部３６は光透過性を有し且つ前記装着孔２２の内周縁を前側から視認し難くする視認制限部４３を備えたものである。
【００１０】
前記透明遊技盤８の裏側に少なくとも前記視認制限部４３に対応して発光手段５１を備えたものでもよい。前記役物は表示窓４０を有し且つ前記透明遊技盤８の前面に装着された前飾り体２４と、前記表示窓４０に対応して前記透明遊技盤８の裏側に配置された画像表示部２３とを備えた画像表示手段１６であってもよい。
【００１１】
前記画像表示部２３は表示領域が前記装着孔２２の外周側に延びる大きさであってもよい。前記視認制限部４３は前記鍔部３６に凹凸状又は粗面状に形成されていることもある。
【００１２】
前記透明遊技盤８の前側に前記遊技領域９を視認可能に透明板１３を備え、前記遊技領域９へと発射された遊技球が集中する前記前飾り体２４の頂部４８に、前記鍔部３６との間に遊技球が通過可能な間隔をおいて配置され且つ前記透明板１３との接触を阻止する透明な接触阻止壁６７を備えたものでもよい。
【発明の効果】
【００１３】
本発明によれば、透明遊技盤の遊技領域の装着孔を視認し難くでき、しかも透明遊技盤の光透過領域を十分に確保できる利点がある。
【図面の簡単な説明】
【００１４】
【図１】本発明の第１の実施形態を示すパチンコ機の斜視図である。
【図２】同パチンコ機の正面図である。
【図３】同画像表示手段の正面図である。
【図４】同図３のＡ−Ａ線拡大断面図である。
【図５】同前飾り体の上部側部分の拡大斜視図である。
【図６】同図３のＢ−Ｂ線拡大断面図である。
【図７】同図３のＣ−Ｃ線拡大断面図である。
【図８】同図３のＤ−Ｄ線拡大断面図である。
【図９】本発明の第２の実施形態を示す画像表示手段の縦断面図である。
【図１０】本発明の第３の実施形態を示す画像表示手段の縦断面図である。
【図１１】同図１０のＥ−Ｅ線断面図である。
【図１２】本発明の第４の実施形態を示す画像表示手段の縦断面図である。
【図１３】本発明の第５の実施形態を示す前飾り体の縦断面図である。
【図１４】本発明の第６の実施形態を示す画像表示手段の縦断面図である。
【図１５】本発明の第７の実施形態を示す前飾り体部分の斜視図である。
【図１６】同断面図である。
【発明を実施するための形態】
【００１５】
以下、本発明の実施形態を図面に基づいて詳述する。図１〜図８は本発明をパチンコ機１に採用した第１の実施形態を例示している。このパチンコ機１は、図１、図２に示すように矩形状の外枠２と、この外枠２の前側にヒンジ（図示省略）により縦軸廻りに開閉自在に枢着された前枠３とを備えている。前枠３の前側にはガラス扉４と前面板５とが上下に配置され、前枠３に対して同じ側のヒンジ（図示省略）により縦軸廻りに開閉自在に枢着されている。
【００１６】
前面板４の前側には発射用の遊技球を貯留する球貯留皿６が配置され、その側方に球貯留皿６から供給された遊技球を発射する発射手段（図示省略）の発射ハンドル７が設けられている。ガラス扉（透明板扉）４の裏側には、このガラス扉４に対応するように前枠３に透明遊技盤８が着脱自在に装着されている。透明遊技盤８はアクリル板等の透明板により構成されている。ガラス扉４は透明遊技盤８の前面の遊技領域９に対応する窓孔１０が形成された扉枠１１と、この扉枠１１が装着され且つ遊技領域９の前側を覆うガラスユニット１２とを備え、ガラスユニット１２のガラス板１３を介して遊技領域９を視認可能である。
【００１７】
透明遊技盤８の前面には、図２に示すように遊技領域９の外周にガイドレール１４と前飾り兼用の区画部材１５とが環状に配置され、これらガイドレール１４及び区画部材１５により遊技領域９の外周が区画されている。ガイドレール１４は発射手段から発射された遊技球を遊技領域９の上部側へと案内するためのもので、内レール１４ａと外レール１４ｂとにより構成されている。透明遊技盤８の遊技領域９には、図２に示すように画像表示手段１６、普通図柄始動手段１７、特別図柄始動手段１８、可変入賞手段１９、普通入賞手段２０等の各種の役物が配置されている。
【００１８】
画像表示手段１６は、図２、図３に示すように、遊技領域９の略中央でガイドレール１４と反対側の区画部材１５に近接して配置されている。そして、この画像表示手段１６は透明遊技盤８の装着孔２２の裏側に対応して配置された液晶式、プラズマ式等の画像表示部２３と、透明遊技盤８の装着孔２２に前側から挿入して透明遊技盤８の前面に装着され且つ画像表示部２３の外周側を前側から覆う前飾り体２４とを備えている。なお、遊技領域９には画像表示手段１６の左右両側に左側通路２６と右側通路２７とが設けられている。左側通路２６は広く、右側通路２７は遊技球が１個通過できる程度に狭くなっている。
【００１９】
前飾り体２４には普通図柄表示手段２８、特別図柄表示手段２９が設けられている。画像表示手段１６と区画部材１５との間には、画像表示手段１６の上側から下側へと遊技球を案内する右側通路２７が形成されている。なお、画像表示手段１６は役物の一例である。
【００２０】
普通図柄表示手段２８は普通図柄を変動表示するためのもので、複数種類の普通図柄（例えば２種類の「○」「×」）に対応する複数個の発光素子により構成されており、普通図柄始動手段１７が遊技球を検出することを条件に２つの発光素子が所定時間交互に点滅して、普通図柄始動手段１７の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００２１】
特別図柄表示手段２９は、１個又は複数個、例えば１個の特別図柄を変動表示可能な７セグメント式等の表示手段により構成されており、特別図柄始動手段１８が遊技球を検出することを条件に特別図柄を所定時間変動表示して、特別図柄始動手段１８の遊技球の検出時に抽選された乱数値が予め定められた特別遊技乱数値と一致した場合に所定の特別遊技態様で、それ以外の場合に外れ態様で停止するようになっている。
【００２２】
画像表示部２３は矩形状、その他の形状であって、図２に示すように遊技中は演出図柄３０ａ〜３０ｃとその背景画像とを発光表示し、また特定の遊技状態になったときには、各種の演出動作と同期して予告用、その他の演出画像３１を発光表示する。
【００２３】
演出図柄３０ａ〜３０ｃは画像表示部２３の適当な位置に複数個、例えば３個表示され、その各演出図柄３０ａ〜３０ｃは特別図柄表示手段２９の特別図柄の変動に同期して変動を開始し、所定の変動パターンを経て所定時間変動した後、特別図柄の変動終了に同期して所定の順序で順次停止する。
【００２４】
そして、演出図柄３０ａ〜３０ｃの変動後の停止図柄は、特別図柄表示手段２９の特別図柄が特別遊技態様で停止する場合には全てが揃う特別遊技演出態様となり、特別図柄が外れ態様で停止する場合には少なくとも一部が異なる外れ演出態様となる。例えば、特別図柄が特別遊技態様で停止する場合には、演出図柄３０ａ〜３０ｃは「７・７・７」等で停止し、特別図柄が外れ態様で停止する場合には演出図柄３０ａ〜３０ｃは「３・４・５」等で停止する。
【００２５】
普通図柄始動手段１７は遊技領域９の上下中間部で、画像表示手段１６とガイドレール１４との間の左側通路２６に配置されている。特別図柄始動手段１８は固定式入賞口１８ａと電動チューリップ等の可変式入賞口１８ｂとを上下に備え、画像表示手段１６の下側に配置されている。固定式入賞口１８ａは一定幅で開口しており、また可変式入賞口１８ｂは普通図柄表示手段２８の変動後の普通図柄が当たり態様を停止表示したときに所定時間開放して、固定式入賞口１８ａよりも遊技球が入賞し易くなる。
【００２６】
可変入賞手段１９は前側に開口する入賞口１９ａを開閉する開閉板１９ｂを有し、画像表示手段１６の下側で特別図柄始動手段１８の右側に配置されており、特別図柄表示手段２９の変動後の特別図柄が特別遊技態様で停止した場合に開閉板１９ｂを所定時間ずつ複数回開放するようになっている。なお、特別遊技での可変入賞手段１９の開閉パターン等は適宜決定することが可能である。普通入賞手段２０は画像表示手段１６の左下側に複数個（例えば３個）を一組として配置され、また可変入賞手段１９の下側で特別図柄始動手段１８の右側に１個配置されている。
【００２７】
画像表示部２３は、図４〜図８に示すように、液晶式、プラズマ式等の表示パネルにより構成され、透明遊技盤８の裏側に装着された支持枠３４に固定されている。支持枠３４は透明遊技盤８の裏面の略全体に対応する大きさで、周壁部３４ａと背壁部３４ｂとを一体に有し、透明遊技盤８の裏側に固定されている。背壁部３４ｂは開口３４ｃを有し、この開口３４ｃに対応して画像表示部２３が配置されている。なお、支持枠３４の前外周に透明遊技盤８を取り囲む周壁部３４ｄを一体に設けてもよい。
【００２８】
前飾り体２４は、図４〜図８に示すように、装着孔２２の外周の略全周で透明遊技盤８の前面に当接する鍔部３６と、この鍔部３６から後方に突出し且つ装着孔２２の内周縁に近接して挿入される環状の補強壁部（挿入部）３７と、鍔部３６から前方に突出し且つ正面視略門形状に形成された前飾り部３８と、鍔部３６又は前飾り部３８の内周側から後方に突出し且つ画像表示部２３の外周に対応する環状の窓周壁部（挿入部）３９とを有し、窓周壁部３９の内側が表示窓４０となっている。
【００２９】
また前飾り体２４には、その前飾り部３８の左側下部にワープ口４１が、また画像表示部２３の前側に、遊技球の転動ステージ４２が夫々設けられており、ワープ口４１に入った遊技球を転動ステージ４２に案内して左右に転動させた後、特別図柄始動手段１８へと上側から落下させるようになっている。
【００３０】
前飾り体２４は透明又は着色透明の合成樹脂製の成型品であって、光透過性を有する。鍔部３６は装着孔２２を前側から覆う形状、大きさを有し、周方向の複数個のネジ３６ａにより装着孔２２の外側で透明遊技盤８に着脱自在に固定されている。そして、この鍔部３６には装着孔２２を前側から視認し難くするための視認制限部４３が略全周に設けられている。
【００３１】
即ち、鍔部３６の前側に前飾り部３８がある部分では、図４、図５に示すように、鍔部３６の前飾り部３８から外側に視認制限部４３が設けられ、また鍔部３６の前側に前飾り部３８がない部分では、図６に示すように、鍔部３６の略全体に視認制限部４３が設けられており、この視認制限部４３により装着孔２２の内周縁から内側部分が視認し難いようになっている。視認制限部４３は鍔部３６の前面を凹凸状又は粗面状に成型することにより、光透過性があるにも拘わらず裏側を透視できない構造になっている。
【００３２】
前飾り部３８は前飾り体２４の前面側を装飾する一方、鍔部３６から前側に突出し且つ遊技球を案内する外周壁４５を有し、遊技領域９に打ち込まれた遊技球の画像表示部２３側への進入を阻止するようになっている。外周壁４５は遊技球を案内し得るだけの前後幅を有し、この外周壁４５の前端には、外側へと突出する透明な案内縁４６と衝突阻止壁４７とが周方向に設けられている。
【００３３】
衝突阻止壁４７は発射手段からガイドレール１４を経て遊技領域９に遊技球を打ち込んだときに、その遊技球が集中する頂部４８側でガラス板１３と干渉しないようにするためのもので、打ち込まれた遊技球が集中する前飾り体２４の頂部４８に左右方向に帯状に配置されている。そして、衝突阻止壁４７はガイドレール１４に近い始端側から終端側に向かって徐々に高くなると共に、その裏面先端側に、頂部４８へと案内する傾斜面４７ａが設けられている。
【００３４】
また衝突阻止壁４７の最大高さは遊技球の直径以上となっており、この衝突阻止壁４７の中間部分から終端側では、衝突阻止壁４７とガイドレール１４の外レール１４ｂとの間隔が遊技球の直径よりも小となっている。このため遊技領域９に遊技球を打ち込んだときに、その遊技球が頂部４８で前飾り体２４の外周壁４５上に当接する際に、その遊技球が衝突阻止壁４７の中間部分でガラス板１３に衝突することはない。
【００３５】
案内縁４６は前飾り体２４の外壁部４５に沿って遊技球が移動するときに、その遊技球がガラス板１３と干渉しないように案内するためのもので、遊技球の直径の半分以下の低い突縁により構成されている。
【００３６】
前飾り体２４には鍔部３６と前飾り部３８とに相対応する発光表示部４９，５０が設けられると共に、この発光表示部４９，５０に対応して透明遊技盤８の裏側に発光手段５１が配置されており、遊技中に特別遊技状態が発生する等の所定の遊技状態になったときに、画像表示部２３に表示される演出画像３１に同期して発光手段５１が発光し、その光を透明遊技盤８、装着孔２２を経て前飾り体２４の発光表示部４９，５０に裏側から照射して発光させるようになっている。
【００３７】
即ち、前飾り体２４にはその頂部４８側の衝突阻止壁４７の左右両側から右側通路２７側に至る複数箇所に、周方向に所定間隔をおいて発光表示部４９，５０が設けられている。この発光表示部４９，５０は視認制限部４３を兼用するものであって、他の部分よりも荒目の凹凸部により構成する等、他の部分と区別できるようになっている。
【００３８】
例えば鍔部３６の発光表示部４９は正面視台形状に、前飾り部３８の発光表示部５０は鍔部３６の発光表示部４９に形状的に一体性を有する正面視三角形状に夫々形成されている。この両発光表示部４９，５０は鍔部３６から前飾り部３８の前面に跨がって一つの略楔状となっており、この略楔状の発光表示部４９，５０が画像表示部２３側を中心として略放射状に配置されている。
【００３９】
従って、所定の遊技状態のときに画像表示部２３に所定の演出画像３１を表示し、この演出画像３１の表示に同期して発光表示部４９，５０を発光させることにより、所定の遊技状態を視覚的にきらびやかな発光演出を行うことができる。
【００４０】
個々の各発光表示部４９，５０は、例えばＶ溝を介して四角錐又は四角錐台を鍔部３６の周方向及び幅方向に略等間隔を置いて多数配列する等、その発光表示部４９，５０の表示範囲内に凹部及び凸部が略均等に分布し、後方から光が照射したときに発光表示部４９，５０の略全体が略均等に発光するようになっている。前飾り部３８の発光表示部５０以外の部分は遮光シール、遮光塗料等の遮光手段が設けられている。
【００４１】
なお、発光表示部４９，５０は他の形状、構造でもよい。例えば形状的に対応する他、鍔部３６の発光表示部４９と前飾り部３８の発光表示部５０とが位置的に対応するものでもよい。また発光表示部４９，５０は鍔部３６、前飾り部３８の前面、裏面の何れに設けてもよい。鍔部３６の発光表示部４９の場合、遊技球との接触による摩耗等を防止するためには、鍔部３６の裏面に形成することが望ましい。
【００４２】
発光手段５１は発光基板５２と、この発光基板５２に実装されたＬＥＤ等の発光体５３と、発光基板５２を収容し且つ発光体５３からの光により発光する発光カバー５４と、発光カバー５４内の発光基板５２を裏側から押える裏カバー５５とを備えている。
【００４３】
この発光手段５１は鍔部３６及び前飾り部３８の発光表示部４９，５０に対応して透明遊技盤８の裏側に配置され、支持枠３４の背壁部３４ｂ等に取り付け部３４ｅを介して着脱自在に装着されている。発光体５３は各発光表示部４９，５０に対応して設けられている。鍔部３６の発光表示部４９に対応する発光体５３は、透明遊技盤８を経て発光表示部４９に光を透過するようになっている。発光カバー５４は発光体５３と対向する前側が粗面状に形成される等、発光体５３が発光したときに、その光により発光するようになっている。なお、発光カバー５４は省略してもよい。
【００４４】
この実施形態では、次のような利点がある。画像表示手段１６の前飾り体２４は装着孔２２の外周で透明遊技盤８の前面に当接する鍔部３６と、この鍔部３６から前側に突出する前飾り部３８とを備え、鍔部３６に光透過性を有し且つ装着孔２２等の裏側を見え難くする視認制限部４３を設けているので、鍔部３６を介して装着孔２２の内周縁等を前側から視認できる従来に比較して透明遊技盤８の見栄えが向上する。また視認制限部４３はそれ自体で光透過性を有するため、視認制限部４３に発光表示部４９を設ける等、視認制限部４３を発光表示領域の一部として活用することが可能であり、発光表示領域を十分に拡大することができる。
【００４５】
更に鍔部３６及び前飾り部３８に跨がって発光表示部４９，５０を設け、この発光表示部４９，５０に裏側から光を照射して発光させるための発光手段５１を透明遊技盤８の裏側等に設けることにより、前飾り体２４の発光表示部５０を鍔部３６から前飾り部３８まで拡大することができ、発光演出が可能な前飾り体２４側の見栄えを更に向上させることができる。
【００４６】
発光手段５１をその一部が装着孔２２の外側で透明遊技盤８に対応するように設けることにより、鍔部３６が装着孔２２の外周で透明遊技盤８の前面に当接する構造であるにも拘わらず、鍔部３６の透明遊技盤８と重なる部分にも発光表示部４９を設けることができ、その発光表示部４９に透明遊技盤８を介して光を照射することができる。従って、発光表示部４９が発光したときにも、透明遊技盤８と装着孔２２との境界が明瞭になるような問題はない。
【００４７】
発光手段５１には鍔部３６及び前飾り部３８の各発光表示部４９，５０に対応して発光体５３を設けているため、発光演出に際しては各発光表示部４９，５０毎に発光体５３の発光態様を変えて発光させることもできる。
【００４８】
前飾り体２４の頂部４８には、左右方向に長い衝突阻止壁４７が外周壁４５の前端側にあるため、ガイドレール１４を経て遊技領域９へと打ち込まれた遊技球が集中する前飾り体２４の頂部４８において、その遊技球がガラス板１３に衝突することにより騒音の発生を極力抑制することができる。また衝突阻止壁４７は透明で光透過性を有するため、前飾り体２４の頂部４８での遊技球の移動状況を前側から容易に確認することができる。
【００４９】
図９は本発明の第２の実施形態を例示する。この実施形態の発光手段５１は、透明遊技盤８に沿って移動する移動式となっている。発光手段５１は支持枠３４等に設けられた図外の支持案内手段を介して透明遊技盤８に沿って移動自在に支持され、駆動手段５７の駆動により往復移動可能である。駆動手段５７は支持枠３４側に固定され、その駆動軸５８に駆動用のピニオン５９が設けられている。ピニオン５９は発光手段５１の移動方向に長いラック６０に噛合しており、その正逆転により発光手段５１が透明遊技盤８の裏側で往復移動する。
【００５０】
発光手段５１の移動方向は前飾り体２４の内外方向であり、この発光手段５１は各発光体５３が鍔部３６及び前飾り部３８の各発光表示部４９，５０の裏側に対応する第１位置（二点鎖線位置）と、一方の発光体５３が鍔部３６の発光表示部４９に対応し他方の発光体５３が透明遊技盤８の裏側に対応する第２位置（実線位置）との間で移動自在である。他の構成は第１の実施形態と同様である。
【００５１】
この場合には、発光手段５１が第１位置と第２位置との間で移動することにより、鍔部３６及び前飾り部３８の各発光表示部４９，５０を発光させたり、鍔部３６の発光表示部４９と透明遊技盤８の一部とを発光させたりすることができる。このため共通の発光手段５１を利用して種類の異なる発光演出を行うことができる。
【００５２】
なお、第２位置では、二点鎖線で示すように他方の発光体５３が区画部材１５の裏側に対応するようにしてもよい。この場合、区画部材１５が遮光性を有するものであれば、第１の実施形態において、鍔部３６の発光表示部４９に対応する発光体５３のみが発光して、そのときに前飾り部３８の発光表示部５０に対応する発光体５３が発光しないようにしたときと同様の発光演出状態となる。しかし、区画部材１５が光透過性を有する発光表示部を備えたものの場合には、発光体５３の光により区画部材１５の発光表示部を発光させることができる。
【００５３】
鍔部３６、前飾り部３８及び区画部材１５の三者に発光表示部４９，５０を設け、これらに対応して透明遊技盤８の裏側に発光体５３を夫々配置して、その各発光体５３を選択的に発光させるようにしてもよい。
【００５４】
図１０、図１１は本発明の第３の実施形態を例示する。この実施形態の発光手段５１は、駆動手段５７の駆動により前後方向の枢軸６３廻りに透明遊技盤８に沿って揺動するようになっている。発光手段５１は鍔部３６の発光表示部４９、前飾り部３８の発光表示部５０、及び鍔部３６と区画部材１５との間の透明遊技盤８に対応する発光体５３を備え、発光カバー５４又は裏カバー５５から区画部材１５の裏側へと突出する腕部６４が枢軸６３により支持枠３４に揺動自在に枢着されている。
【００５５】
駆動手段５７はプランジャーであって、腕部６４、枢軸６３と共に区画部材１５の裏側に配置されており、この駆動手段５７の駆動により発光手段５１が枢軸６３廻りに揺動するようになっている。鍔部３６及び前飾り部３８の発光表示部４９，５０は、発光手段５１が揺動したときの発光体５３に対応して設けられている。換言すれば、発光手段５１は発光体５３が鍔部３６及び前飾り部３８の発光表示部４９，５０に対応する範囲の内で揺動可能である。他の構成は第１の実施形態と同様である。
【００５６】
この場合には所定の遊技状態になったときに、画像表示部２３での演出画像３１の表示に同期して発光手段５１の発光体５３が連続発光又は点滅発光し、また駆動手段５７が発光手段５１を枢軸６３廻りに往復駆動する。このため発光体５３が枢軸６３廻りに往復揺動し、鍔部３６及び前飾り部３８の発光表示部４９，５０の異なる位置が連続発光又は点滅発光すると共に、透明遊技盤８の発光体５３に対応する部分が同様に発光する。
【００５７】
発光手段５１は第２の実施形態の直線移動式の他、この第３実施形態に例示するように枢軸６３廻りに揺動する揺動式としてもよいし、前後方向の回転軸廻りに回転する回転式としてもよい。また駆動手段５７等の裏側機構は、区画部材１５等に対応して透明遊技盤８の裏側に設けることにより、透明遊技盤８の見栄えが更に向上する。
【００５８】
図１２は本発明の第４の実施形態を例示する。この実施形態は、透明遊技盤８の遊技領域９の裏面に光透過性を有する絵柄層６６が形成されている。この絵柄層６６は光透過性を有する絵柄シートを貼着するか、又は光透過性を有する塗料で絵柄を印刷する等により形成されており、発光手段５１が発光したときには、その光を透過するようになっている。他の構成は第１の実施形態、又はその他の実施形態と同様である。
【００５９】
この場合には、透明遊技盤８の裏面に絵柄層６６があるため、透明遊技盤８の裏側に発光手段５１等の裏機構があるにも拘わらず、それらが透明遊技盤８を通して見え難くなり、透明遊技盤８の見栄えが更に向上する。また絵柄は光透過性を有するため、発光手段５１による発光演出に支障を来すようなこともない。
【００６０】
図１３は本発明の第５の実施形態を例示する。この実施形態は、鍔部３６側の発光表示部４９は裏側に、前飾り部３８の発光表示部５０は前側に夫々設けたものである。鍔部３６の外周部３６ｂは発光表示部４９よりも高くなっており、その外周部３６ｂのネジ３６ａにより鍔部３６が透明遊技盤８の前面に固定されている。鍔部３６側の視認制限部４３は細かいため前面、裏面の何れでもよい。他の構成は各実施形態と同様である。
【００６１】
このように発光表示部４９は鍔部３６の裏面に設けることにより、遊技球との接触による発光表示部４９の損傷を防止できる。また鍔部３６の外周部３６ｂを透明遊技盤８の前面に当接してネジ３６ａで固定することにより、鍔部３６の裏側に発光表示部４９があるにも拘わらず、鍔部３６を透明遊技盤８に確実に固定することができる。
【００６２】
図１４は本発明の第６の実施形態を例示する。この実施形態は、鍔部３６の発光表示部４９に対応する発光体５３ａと、前飾り部３８の発光表示部５０に対応する発光体５３ｂとを分離して、鍔部３６の発光表示部４９に対応する発光体５３ａは支持枠３４側に固定の発光基板５２ａに、前飾り部３８の発光表示部５０に対応する発光体５３ｂは前飾り体２４の裏側に固定の発光基板５２ｂに夫々装着している。発光基板５２ａ，５２ｂ、発光体５３ａ，５３ｂは鍔部３６及び前飾り部３８の視認制限部４３に対応してその裏側に配置されている。その他の構成は各実施形態と同様である。
【００６３】
このように発光基板５２ａ，５２ｂ、発光体５３ａ，５３ｂは鍔部３６と前飾り部３８とで別々に設けてもよい。また発光基板５２ａ，５２ｂ、発光体５３ａ，５３ｂは鍔部３６及び前飾り部３８の視認制限部４３に対応してその裏側に設けることにより、それらによる透明遊技盤８の見栄えの低下を防止できる。
【００６４】
図１５、図１６は本発明の第７の実施形態を例示する。この実施形態は、鍔部３６側の発光表示部４９は鍔部３６の前面に形成され、また前飾り体２４の外周壁４５に沿って通過する遊技球に対応する部分に、遊技球の発光表示部４９への接触を阻止する接触阻止突条６７が遊技球の移動方向に沿って設けられている。
【００６５】
このように鍔部３６側の発光表示部４９に対応して接触阻止突条６７を設けることにより、遊技球の発光表示部４９に対する接触を阻止できるので、発光表示部４９の損傷を防止できる。また接触阻止突条６７は適当な幅にすることによって、視認制限部４３としても機能する。
【００６６】
なお、接触阻止突条６７は発光表示部４９よりも前側に僅かに突出しておれば十分であり、遊技球の移動方向に沿って略直線状に設ける他、発光表示部４９の幅方向に屈曲又は湾曲する波条、その他の形状に設けてもよい。また接触阻止突条６７は発光表示部４９の幅方向の中間に設ける他、発光表示部４９の幅方向の端部に設けてもよい。
【００６７】
以上、本発明の各実施形態について詳述したが、本発明はこれらの実施形態に限定されるものではなく、本発明の趣旨を逸脱しない範囲で種々の変更が可能である。例えば、各実施形態では、役物として画像表示手段１６を例示しているが、画像表示手段１６以外の役物、例えば可変入賞手段１９、その他の可動演出手段等でもよい。
【００６８】
役物が画像表示手段１６の場合でも、その前飾り体２４の形状、構造を適宜変更可能である。前飾り体２４は略全体を光透過性材料により構成し、鍔部３６を除く前飾り部３８の前面部分には必要に応じて遮光性シートを貼付するか、遮光層を形成してもよい。
【００６９】
前飾り体２４の鍔部３６は周方向に複数個に分割してもよい。また鍔部３６の視認制限部４３は原則的には全周に設けることが望ましいが、周辺の構成部材との関係で裏側にある装着孔２２の存在が問題にならない部分等では省略することも可能である。
【００７０】
鍔部３６の裏側に発光手段５１を設ける場合に、その発光手段５１は視認制限部４３の全域に対応してもよい。また視認制限部４３が凹凸条又は粗面であれば、裏側から光を照射することによりその部分が発光するので、取り立てて視認制限部４３と区別可能に発光表示部４９，５０を設ける必要はない。
【００７１】
画像表示手段１６の画像表示部２３はその画像表示領域が前飾り体２４の表示窓４０に略対応する大きさでもよいし、表示窓４０の範囲を越えて装着孔２２の外側の遊技領域９に対応する大きさとしてもよい。また発光手段５１として画像表示手段１６の画像表示部２３を利用し、その画像表示部２３からの光によって発光表示部４９，５０が発光するようにしてもよい。
【００７２】
前飾り体２４の複数箇所に発光表示部４９，５０を設ける場合、その各部の発光表示部４９，５０は同一の凹凸態様でもよいし、異なる凹凸態様でもよい。例えば、鍔部３６の発光表示部４９と前飾り部３８の発光表示部５０は、同一態様でもよいし、異なる態様でもよい。第４の実施形態と同様に、第１〜第３の実施形態、第５〜第７の実施形態の場合にも、透明遊技盤８の裏面に絵柄層６６を設けてもよい。
【００７３】
また絵柄層６６に代替して透明遊技盤８の裏側を暗くして前面から裏機構等を視認し難くする光透過層を形成し、その裏側の発光手段５１の発光、又は画像表示部２３の画像の発光表示等で裏側から光透過層に光が照射したときに、透明遊技盤８の裏側が見えるようにしてもよい。
【００７４】
更に各実施形態ではパチンコ機１について例示しているが、パチンコ機１以外のアレンジボール機等の各種の弾球遊技機においても同様に実施可能である。
【符号の説明】
【００７５】
８  透明遊技盤
９  遊技領域
１３  ガラス板（透明板）
１６  画像表示手段（役物）
２２  装着孔
２３  画像表示部
２４  前飾り体
３６  鍔部
３７  補強壁部（挿入部）
３９  窓周壁部（挿入部）
４０  表示窓
４３  視認制限部
４８  頂部
５１  発光手段
６７  接触阻止壁
【図１】
2014155522.tif 000003
【図２】
2014155522.tif 000004
【図３】
2014155522.tif 000005
【図４】
2014155522.tif 000006
【図５】
2014155522.tif 000007
【図６】
2014155522.tif 000008
【図７】
2014155522.tif 000009
【図８】
2014155522.tif 000010
【図９】
2014155522.tif 000011
【図１０】
2014155522.tif 000012
【図１１】
2014155522.tif 000013
【図１２】
2014155522.tif 000014
【図１３】
2014155522.tif 000015
【図１４】
2014155522.tif 000016
【図１５】
2014155522.tif 000017
【図１６】
2014155522.tif 000018